【手続補正書】
【提出日】平成15年10月31日(2003.10.31)
【手続補正１】
【補正対象書類名】特許請求の範囲
【補正対象項目名】全文
【補正方法】変更
【補正の内容】
【特許請求の範囲】
【請求項１】
一つ以上の領域からなる光学デバイスに使用するためのポリマーであって、前記領域または各領域は（ｉ）一般式Ｉを有し：
【化１】
2004532291.tif 000001
（Ｉ）
上記式中、ｍ＝１または２であり、上記式は少なくとも１つの置換基を含み、前記少なくとも１つの置換基はアルキル、アルコキシ、アリール、アリールオキシ、ヘテロアリール及びヘテロアリールオキシ基からなる群から選択され、前記各置換基はさらに置換されてもよい；第一構造単位及び、（ｉｉ）ヘテロアリール、トリアリールアミン及び／または２，７−フルオレニルからなる群から選択される第二構造単位Ａｒを含み、
その際ｍ＝１であるときは前記の領域または各領域は一般式ＩＩ：
【化２】
2004532291.tif 000002
（ＩＩ）
を有する単位を含み、
上記少なくとも１つの置換基は３００未満の分子量を有する前記ポリマー。
【請求項２】
第一構造単位が複数の置換基を含み、前記第一構造単位上の各置換基が３００未満の分子量を有する請求項１記載のポリマー。
【請求項３】
各置換基が２０個未満の炭素原子を含む請求項２記載のポリマー。
【請求項４】
第一構造単位が一般式ＩＩＩを有し、
【化３】
2004532291.tif 000003
（ＩＩＩ）
上記式中、Ｒはアルキル、アルコキシ、アリール、アリールオキシ、ヘテロアリール及びヘテロアリールオキシ基からなる群から選択され、その各々がさらに置換されてもよい
請求項１または請求項２記載のポリマー。
【請求項５】
第一構造単位が一般式ＩＶを有し：
【化４】
2004532291.tif 000004
（ＩＶ）
上記式中、Ｒ及びＲ1は同じでも異なっていてもよく、各々がアルキル、アルコキシ、アリール、アリールオキシ、ヘテロアリール及びヘテロアリールオキシ基からなる群から選択され、これらの各々はさらに置換されていてもよい先行請求項のいずれかの項に記載のポリマー。
【請求項６】
第一構造単位が一般式Ｖ：
【化５】
2004532291.tif 000005
（Ｖ）
であらわされる請求項５記載のポリマー。
【請求項７】
第一構造単位が一般式ＶＩを有し：
【化６】
2004532291.tif 000006
（ＶＩ）
上記構造はさらに置換されていてもよく、式中Ｒ及びＲ1は同じでも異なっていてもよく、各々がアルキル、アルコキシ、アリール、アリールオキシ、ヘテロアリール及びヘテロアリールオキシ基からなる群から選択され、その各々はさらに置換されてもいてもよい請求項１ないし請求項４のいずれかの項に記載のポリマー。
【請求項８】
第一構造単位が一般式ＶＩＩまたはＶＩＩＩ：
【化７】
2004532291.tif 000007
（ＶＩＩ）
【化８】
2004532291.tif 000008
（ＶＩＩＩ）
を有する請求項７記載のポリマー。
【請求項９】
Ｒ及びＲ1が同じであり、その各々がオクチル、オクチルオキシ、または置換または未置換のフェニレン基である請求項７または請求項８記載のポリマー。
【請求項１０】
第一構造単位が一般式ＩＸまたはＸであらわされ：
【化９】
2004532291.tif 000009
（ＩＸ）
【化１０】
2004532291.tif 000010
（Ｘ）
上記式中、Ｒ、Ｒ1、Ｒ2及びＲ3が同じであるかまたは互いに異なり、各々は、請求項７に記載されたＲ及びＲ1の定義と同じである請求項９記載のポリマー。
【請求項１１】
Ｒ、Ｒ1、Ｒ2及びＲ3の各々が置換または未置換フェニル基である請求項１０記載のポリマー。
【請求項１２】
第一構造単位が一般式ＸＩを有し：
【化１１】
2004532291.tif 000011
（ＸＩ）
上記式中、Ｒ、Ｒ1、Ｒ2、Ｒ3、Ｒ4及びＲ5は同じであるかまたは互いに異なり、各々は請求項７に記載されたＲ及びＲ1の定義と同じであり、ａ、ｂ、ｃ及びｄは０または１であり、ａ＋ｂ＋ｃ＋ｄ＝１である請求項７記載のポリマー。
【請求項１３】
Ｒ2、Ｒ3、Ｒ4及びＲ5の少なくとも２つがＨである請求項１１記載のポリマー。
【請求項１４】
第一構造単位が一般式ＸＩＩを有し：
【化１２】
2004532291.tif 000012
（ＸＩＩ）
上記式中、Ｒ、Ｒ1、Ｒ2及びＲ5は同じかまたは互いに異なり、各々は請求項７に記載されたＲ及びＲ1の定義と同じである請求項１３記載のポリマー。
【請求項１５】
Ａｒが任意に置換された２，７−結合９，９ジアルキルフルオレン、２，７−結合９，９ジアリールフルオレン、２，７−結合９，９−スピロフルオレン、２，７−結合インデノフルオレン、２，５−結合ベンゾチアジアゾール、２，５−結合アルキル  ベンゾチアジアゾール、２，５−結合ジアルキル  ベンゾチアジアゾール、２，５−結合  置換または未置換チオフェンまたはトリアリールアミンを含む請求項１ないし１４のいずれかの項に記載のポリマー。
【請求項１６】
少なくとも一つの置換基がアルキル及びアルコキシから選択される請求項１ないし１５のいずれかの項に記載のポリマー。
【請求項１７】
ｍ＝２であり、前記の領域または各領域が一般式ＩＩ：
【化１３】
2004532291.tif 000013
（ＩＩ）
を有する単位を含む請求項１ないし１６のいずれかの項に記載のポリマー。
【請求項１８】
直鎖ポリマーである請求項１ないし１７のいずれかの項に記載のポリマー。
【請求項１９】
請求項１ないし１８のいずれかの項に記載のポリマーを使用した光学デバイス。
【請求項２０】
エレクトロルミネッセントデバイスである請求項１９記載の光学デバイス。
【請求項２１】
基板と、前記基板上に支持された請求項１ないし請求項１８のいずれかの項に記載のポリマーを含んでなる光学デバイス。
【請求項２２】
エレクトロルミネッセントデバイスである請求項２１記載の光学デバイス。
【請求項２３】
正電荷キャリヤーを注入するための第一電荷注入層と；
負電荷キャリヤーを注入するための第二電荷注入層と；
第一及び第二電荷注入層の間に介在し、正及び負電荷キャリヤーを受容し結合し光を生成する発光物質を含む発光層と
を含んでなり、
その際発光層は、請求項１ないし請求項１８のいずれかの項に記載のポリマーを含み、正及び負電荷キャリヤーを受容し結合し、または正及び／または負電荷キャリヤーを第一及び／または第二電荷注入層から発光物質に運搬する請求項２１記載のエレクトロルミネッセントデバイス。
【請求項２４】
請求項１ないし請求項１８のいずれかの項に記載のポリマーの製法であって、
前記製法は、
（ａ）  （ｉ）請求項１ないし請求項１４のいずれかの項に記載の第一構造単位；及び／または
（ｉｉ）請求項１または請求項１５に記載された第二構造単位［Ａｒ］、及び
硼酸基、硼酸エステル基及びボラン基から選択される少なくとも２つの反応性硼素誘導体基を含んでなる第一芳香族モノマーと、
（ｂ）上記第一及び第二構造単位とは別の、またはこれらに追加した第一及び／または第二構造単位及び少なくとも２つのハリド官能基を含んでなる第二芳香族モノマーとを重合することを含み、
その際前記反応混合物は触媒量のパラジウム触媒と、反応性硼素誘導体基を−Ｂ（ＯＨ）3アニオンに変換するのに十分な塩基とを含む前記製法。
【請求項２５】
請求項１ないし請求項１８のいずれかの項に記載のポリマーの製法であって、
前記製法は
（ａ）  （ｉ）請求項１ないし請求項１４のいずれかの項に記載の第一構造単位；及び／または
（ｉｉ）請求項１または請求項１５に記載された第二構造単位［Ａｒ］、及び
１つの反応性ハリド官能基及び１つの反応性硼素誘導体基を含んでなる第一芳香族モノマーと、
（ｂ）前記の第一及び第二構造単位とは別の、またはこれらに追加した第一及び／または第二反復単位、及び１つの反応性ハリド官能基及び１つの反応性硼素誘導体基を含む第二芳香族モノマーとを
重合することを含んでなり、
その際各ボラン誘導体基は硼酸基、硼酸エステル基及びボラン基から選択され、前記反応混合物は触媒量のパラジウム触媒と、反応性硼素誘導体基を−Ｂ（ＯＨ）3-  アニオンに変換するのに十分な量の塩基とを含む前記製法。
【請求項２６】
各第一及び第二芳香族モノマーが硼素誘導体基及びハリド官能基から選択される反応性基を２つだけ有する請求項２４または請求項２５記載の製法。
【請求項２７】
請求項１ないし請求項１８のいずれかの項に記載のポリマーのフィルム。
【請求項２８】
請求項１ないし請求項１８のいずれかの項に記載のポリマーのコーティング。